(57)【要約】【課題】  データ放送に必要な地域登録情報をより適切なタイミングで自動的に更新することができ、また、不必要な地域登録情報の更新を減らすことのできる放送受信装置を提供すること。  【解決手段】  現在位置情報を取得する現在位置情報取得手段と、取得した現在位置情報をデータ放送に必要な地域登録情報に変換する第１の地域登録情報変換手段と、第１の地域登録情報変換手段により変換された地域登録情報を記憶手段に記憶する地域登録情報記憶手段と、移動に伴う地域登録情報の変化を検出する検出手段と、検出手段により地域登録情報の変化が検出され、かつ所定の条件が成立した場合に、記憶手段に記憶された地域登録情報を更新する第１の地域登録情報更新手段とを装備する。【選択図】  図１
2005191998.tif 000002
【特許請求の範囲】
【請求項１】
現在位置情報を取得する現在位置情報取得手段と、
取得した現在位置情報をデータ放送に必要な地域登録情報に変換する第１の地域登録情
報変換手段と、
該第１の地域登録情報変換手段により変換された地域登録情報を記憶手段に記憶する地
域登録情報記憶手段と、
移動に伴う地域登録情報の変化を検出する検出手段と、
該検出手段により地域登録情報の変化が検出され、かつ所定の条件が成立した場合に、
前記記憶手段に記憶された地域登録情報を更新する第１の地域登録情報更新手段とを備え
ていることを特徴とする放送受信装置。
【請求項２】
前記第１の地域登録情報更新手段が、前記検出手段により地域登録情報の変化が検出さ
れ、かつデータ放送が提示中である場合に、前記記憶手段に記憶された地域登録情報を更
新するものであることを特徴とする請求項１記載の放送受信装置。
【請求項３】
前記第１の地域登録情報更新手段が、前記検出手段により地域登録情報の変化が検出さ
れ、かつ該検出後、所定時間の経過が検出された後に、前記記憶手段に記憶された地域登
録情報を更新するものであることを特徴とする請求項１記載の放送受信装置。
【請求項４】
前記第１の地域登録情報更新手段が、前記検出手段により地域登録情報の変化が検出さ
れ、かつ該検出後、所定距離の移動が検出された後に、前記記憶手段に記憶された地域登
録情報を更新するものであることを特徴とする請求項１記載の放送受信装置。
【請求項５】
前記地域登録情報の変化が検出されたことを告知するとともに、前記地域登録情報の更
新の承諾を得るための告知・更新承諾手段を備え、                                  
前記第１の地域登録情報更新手段が、前記検出手段により地域登録情報の変化が検出さ
れ、かつ前記告知・更新承諾手段を通じて前記地域登録情報の更新の承諾が得られた場合
に、前記記憶手段に記憶された地域登録情報を更新するものであることを特徴とする請求
項１記載の放送受信装置。
【請求項６】
現在位置情報を取得する現在位置情報取得手段と、
取得した現在位置情報をデータ放送に必要な地域登録情報に変換する第１の地域登録情
報変換手段と、
該第１の地域登録情報変換手段により変換された地域登録情報を記憶手段に記憶する地
域登録情報記憶手段と、
データ放送の提示開始が検出された場合に、前記記憶手段に記憶された地域登録情報を
更新する第２の地域登録情報更新手段とを備えていることを特徴とする放送受信装置。
【請求項７】
現在位置情報を取得する現在位置情報取得手段と、
取得した現在位置情報をデータ放送に必要な地域登録情報に変換する第１の地域登録情
報変換手段と、
該第１の地域登録情報変換手段により変換された地域登録情報を記憶手段に記憶する地
域登録情報記憶手段と、
データ放送のコンテンツの切り替えが検出された場合に、前記記憶手段に記憶された地
域登録情報を更新する第３の地域登録情報更新手段とを備えていることを特徴とする放送
受信装置。
【請求項８】
現在位置情報を取得する現在位置情報取得手段と、
取得した現在位置情報をデータ放送に必要な地域登録情報に変換する第１の地域登録情
報変換手段と、
該第１の地域登録情報変換手段により変換された地域登録情報を記憶手段に記憶する地
域登録情報記憶手段と、
車両に設けられた所定スイッチのオフが検出された場合に、前記記憶手段に記憶された
地域登録情報を更新する第４の地域登録情報更新手段とを備え、車両に搭載されることを
特徴とする放送受信装置。
【請求項９】
現在位置情報を取得する現在位置情報取得手段と、
取得した現在位置情報をデータ放送に必要な地域登録情報に変換する第１の地域登録情
報変換手段と、
該第１の地域登録情報変換手段により変換された地域登録情報を記憶手段に記憶する地
域登録情報記憶手段と、
放送チャンネルの切り替えが検出された場合に、前記記憶手段に記憶された地域登録情
報を更新する第５の地域登録情報更新手段とを備えていることを特徴とする放送受信装置
。
【請求項１０】
現在位置情報を取得する現在位置情報取得手段と、
取得した現在位置情報をデータ放送に必要な地域登録情報に変換する第１の地域登録情
報変換手段と、
該第１の地域登録情報変換手段により変換された地域登録情報を記憶手段に記憶する地
域登録情報記憶手段と、
受信中の放送チャンネルのネットワークの変化が検出された場合に、前記記憶手段に記
憶された地域登録情報を更新する第６の地域登録情報更新手段とを備えていることを特徴
とする放送受信装置。
【請求項１１】
ナビゲーション装置に接続され、
該ナビゲーション装置から所定地点の位置情報を取得する位置情報取得手段と、
取得した所定地点の位置情報をデータ放送に必要な地域登録情報に変換する第２の地域
登録情報変換手段と、
該第２の地域登録情報変換手段により変換された地域登録情報を記憶手段に記憶する地
域登録情報記憶手段と、
受信データの中から前記地域登録情報に該当するデータ放送のデータを抽出する抽出手
段と、
抽出された前記地域登録情報に該当するデータ放送のデータを提示する提示手段とを備
えていることを特徴とする放送受信装置。
【請求項１２】
前記抽出手段により抽出された前記地域登録情報に該当するデータ放送のデータを記憶
する放送データ記憶手段を備えていることを特徴とする請求項１１記載の放送受信装置。
【請求項１３】
前記地域登録情報記憶手段が、変換された地域登録情報を一旦揮発性メモリに記憶した
後、所定の条件が成立した場合に、前記揮発性メモリに記憶された地域登録情報を不揮発
性メモリに記憶するものであることを特徴とする請求項１〜１２のいずれかの項に記載の
放送受信装置。
【発明の詳細な説明】
【技術分野】
【０００１】
本発明は放送受信装置に関し、より詳細には地域に応じたデータ放送を提示させること
のできる放送受信装置に関する。
【背景技術】
【０００２】
ディジタル放送では、視聴者の居住地域（すなわち、放送受信装置の設置場所）に応じ
たマルチメディアサービス（いわゆるデータ放送サービス）の提供が行われており、例え
ば、視聴者の居住地域に対応した天気予報や選挙速報などの情報が提供されるようになっ
ている。
【０００３】
このサービスを利用するには、ユーザが事前にメニュー画面等を通じて居住地域に対応
した視聴者居住地域情報（県域コード、地域符号、郵便番号など）を放送受信装置に設定
しなければならず、操作に不慣れな人にとっては設定操作が面倒であり、誤った設定が行
われることもある。さらに、放送受信装置が携帯用や車載用として構成されて移動するこ
とになる場合は、ユーザは移動の度に視聴者居住地域情報を設定し直さなければならない
という課題があった。
【０００４】
このような課題を解決するものとして、下記の特許文献１には、情報通信端末から取得
した現在位置情報を視聴者居住地域情報に変換し、現時点の視聴者居住地域情報と不揮発
性メモリに記憶されている視聴者居住地域情報とが異なる場合、現時点の視聴者居住地域
情報を不揮発メモリに更新記録するディジタル放送受信装置が開示されている。
【０００５】
しかしながら、特許文献１記載のディジタル放送受信装置のように、視聴者居住地域情
報が変化した場合に現時点の視聴者居住地域情報を更新記録するのが、必ずしも好ましい
更新タイミングとは限らない。例えば、ユーザのデータ放送の提示頻度が少ない場合、視
聴者居住地域情報が変化した度に更新しても、更新が無駄になることも考えられる。また
、視聴者居住地域情報が切り替わる境界領域付近を移動する場合、視聴者居住地域情報が
必要以上に頻繁に更新されることも考えられる。また、場合によっては、視聴者居住地域
情報の変化に追従させることなく、特定の地域に関するデータ放送を提示させたい場合も
ありうる。さらに、視聴者居住地域情報は、書き込み回数に制限がある不揮発性メモリに
更新記録されるようになっているので、不必要な書き込みが多く行われると、不揮発性メ
モリの劣化を早めてしまうという課題があった。  
【特許文献１】特開２００３−２２４７８２号公報
【発明の開示】
【課題を解決するための手段及びその効果】
【０００６】
本発明は上記課題に鑑みなされたものであって、データ放送に必要な地域登録情報をよ
り適切なタイミングで自動的に更新することができ、また、不必要な地域登録情報の更新
を減らすことができ、また、ユーザが所望する所定地点を含む地域に関するデータ放送を
提示させることのできる放送受信装置を提供することを目的としている。
【０００７】
上記目的を達成するために本発明に係る放送受信装置（１）は、現在位置情報を取得す
る現在位置情報取得手段と、取得した現在位置情報をデータ放送に必要な地域登録情報に
変換する第１の地域登録情報変換手段と、該第１の地域登録情報変換手段により変換され
た地域登録情報を記憶手段に記憶する地域登録情報記憶手段と、移動に伴う地域登録情報
の変化を検出する検出手段と、該検出手段により地域登録情報の変化が検出され、かつ所
定の条件が成立した場合に、前記記憶手段に記憶された地域登録情報を更新する第１の地
域登録情報更新手段とを備えていることを特徴としている。
【０００８】
上記放送受信装置（１）によれば、前記地域登録情報の変化が検出されただけでなく、
他の所定の条件、例えば、前記地域登録情報の更新の必要性が高くなる条件や、前記地域
登録情報が確実に変化した条件等が成立した場合に前記地域登録情報を更新することによ
り、前記地域登録情報の更新の必要性が高い場合や、前記地域登録情報が確実に変化した
場合など、より適切なタイミングで前記地域登録情報をユーザ操作によらずに自動的に再
設定することができる。また、前記地域登録情報の変化が検出されても、前記所定の条件
が成立しない場合には、前記地域登録情報を更新しないことにより、前記記憶手段への書
き込み回数も減らすことができ、例えば前記記憶手段として書き込み回数に制限があるメ
モリを適用した場合には、該メモリへの不必要な書き込みを抑制することができ、該メモ
リの劣化を遅らせることができる。
【０００９】
また本発明に係る放送受信装置（２）は、上記放送受信装置（１）において、前記第１
の地域登録情報更新手段が、前記検出手段により地域登録情報の変化が検出され、かつデ
ータ放送が提示中である場合に、前記記憶手段に記憶された地域登録情報を更新するもの
であることを特徴としている。
【００１０】
上記放送受信装置（２）によれば、前記検出手段により地域登録情報の変化が検出され
、かつデータ放送が提示中である場合、すなわち、現在位置における正確な地域登録情報
の必要性が高い場合に、前記地域登録情報をユーザ操作によらずに自動的に再設定するこ
とができる。また、前記地域登録情報の変化が検出されても、データ放送が提示中でない
場合、すなわち、更新の必要性が高くない場合には、前記地域登録情報を更新しないこと
により、前記記憶手段への書き込み回数も減らすことができ、上記放送受信装置（１）と
略同様の効果を得ることができる。
【００１１】
また本発明に係る放送受信装置（３）は、上記放送受信装置（１）において、前記第１
の地域登録情報更新手段が、前記検出手段により地域登録情報の変化が検出され、かつ該
検出後、所定時間の経過が検出された後に、前記記憶手段に記憶された地域登録情報を更
新するものであることを特徴としている。
【００１２】
上記放送受信装置（３）によれば、前記検出手段により地域登録情報の変化が検出され
、かつ該検出後、所定時間の経過が検出された後、すなわち、前記地域登録情報が変化し
て所定時間が経過したことにより、前記地域登録情報が確実に変化した状態で前記地域登
録情報をユーザ操作によらずに自動的に再設定することができる。また、前記地域登録情
報の変化が検出されても、その状態が所定時間継続しなかった場合、例えば、前記地域登
録情報が短時間の内に頻繁に変化する場合には、前記地域登録情報を更新しないことによ
り、前記記憶手段への書き込み回数を減らすことができ、上記放送受信装置（１）と略同
様の効果を得ることができる。
【００１３】
また本発明に係る放送受信装置（４）は、上記放送受信装置（１）において、前記第１
の地域登録情報更新手段が、前記検出手段により地域登録情報の変化が検出され、かつ該
検出後、所定距離の移動が検出された後に、前記記憶手段に記憶された地域登録情報を更
新するものであることを特徴としている。
【００１４】
上記放送受信装置（４）によれば、前記検出手段により地域登録情報の変化が検出され
、かつ該検出後、所定距離の移動が検出された後、すなわち、前記地域登録情報が変化し
て所定距離を移動したことにより、前記地域登録情報が確実に変化した状態で前記地域登
録情報をユーザ操作によらずに自動的に再設定することができる。また、前記地域登録情
報の変化が検出されても、その状態で所定距離の移動が検出されなかった場合、例えば、
前記地域登録情報が切り替わる境界領域付近を移動する場合には、前記地域登録情報を更
新しないことにより、前記記憶手段への書き込み回数を減らすことができ、上記放送受信
装置（１）と略同様の効果を得ることができる。
【００１５】
また本発明に係る放送受信装置（５）は、上記放送受信装置（１）において、前記地域
登録情報の変化が検出されたことを告知するとともに、前記地域登録情報の更新の承諾を
得るための告知・更新承諾手段を備え、前記第１の地域登録情報更新手段が、前記検出手
段により地域登録情報の変化が検出され、かつ前記告知・更新承諾手段を通じて前記地域
登録情報の更新の承諾が得られた場合に、前記記憶手段に記憶された地域登録情報を更新
するものであることを特徴としている。
【００１６】
上記放送受信装置（５）によれば、前記検出手段により地域登録情報の変化が検出され
、かつ前記告知・更新承諾手段を通じて前記地域登録情報の更新の承諾が得られた場合、
前記地域登録情報をユーザ操作によらずに自動的に再設定することができ、ユーザから更
新の承諾を得ることにより、ユーザの意に反して前記地域登録情報が更新されることを防
止することができる。また、前記地域登録情報の変化が検出されても、該地域登録情報の
更新の承諾が得られない場合、例えば、ユーザが現在設定されている地域登録情報に基づ
いたデータ放送を提示させたい場合には、前記地域登録情報を更新しないことができ、ユ
ーザの多様な用途に応えることができる。
【００１７】
また本発明に係る放送受信装置（６）は、現在位置情報を取得する現在位置情報取得手
段と、取得した現在位置情報をデータ放送に必要な地域登録情報に変換する第１の地域登
録情報変換手段と、該第１の地域登録情報変換手段により変換された地域登録情報を記憶
手段に記憶する地域登録情報記憶手段と、データ放送の提示開始が検出された場合に、前
記記憶手段に記憶された地域登録情報を更新する第２の地域登録情報更新手段とを備えて
いることを特徴としている。
【００１８】
上記放送受信装置（６）によれば、データ放送の提示開始が検出された場合に、前記記
憶手段に記憶された地域登録情報が更新されるので、現在位置における正確な地域登録情
報の必要性が高い場合に、前記地域登録情報をユーザ操作によらずに自動的に再設定する
ことができる。
【００１９】
また本発明に係る放送受信装置（７）は、現在位置情報を取得する現在位置情報取得手
段と、取得した現在位置情報をデータ放送に必要な地域登録情報に変換する第１の地域登
録情報変換手段と、該第１の地域登録情報変換手段により変換された地域登録情報を記憶
手段に記憶する地域登録情報記憶手段と、データ放送のコンテンツの切り替えが検出され
た場合に、前記記憶手段に記憶された地域登録情報を更新する第３の地域登録情報更新手
段とを備えていることを特徴としている。
【００２０】
上記放送受信装置（７）によれば、データ放送のコンテンツの切り替えが検出された場
合、例えば、データ放送の天気情報から交通情報に切り替えられた場合など、前記記憶手
段に記憶された地域登録情報が更新されるので、前記コンテンツに応じて設定されている
地域登録情報が異なる場合でも、前記コンテンツ毎に対応した地域登録情報をユーザ操作
によらずに自動的に再設定することができる。
【００２１】
また本発明に係る放送受信装置（８）は、現在位置情報を取得する現在位置情報取得手
段と、取得した現在位置情報をデータ放送に必要な地域登録情報に変換する第１の地域登
録情報変換手段と、該第１の地域登録情報変換手段により変換された地域登録情報を記憶
手段に記憶する地域登録情報記憶手段と、車両に設けられた所定スイッチのオフが検出さ
れた場合に、前記記憶手段に記憶された地域登録情報を更新する第４の地域登録情報更新
手段とを備え、車両に搭載されることを特徴としている。
【００２２】
上記放送受信装置（８）によれば、車両に設けられた所定スイッチのオフが検出された
場合に、前記記憶手段に記憶された地域登録情報が更新されるので、次に前記所定スイッ
チのオンが検出された場合には、前記オフ時に更新された地域登録情報に基づいてデータ
放送を提示させることができる。例えば、前記所定スイッチには、イグニッションスイッ
チやアクセサリースイッチなどを適用することができ、車両エンジンの停止が検出された
場合や車両各部への電力供給の停止が検出された場合に、地域登録情報を更新させること
が可能になる。
【００２３】
また本発明に係る放送受信装置（９）は、現在位置情報を取得する現在位置情報取得手
段と、取得した現在位置情報をデータ放送に必要な地域登録情報に変換する第１の地域登
録情報変換手段と、該第１の地域登録情報変換手段により変換された地域登録情報を記憶
手段に記憶する地域登録情報記憶手段と、放送チャンネルの切り替えが検出された場合に
、前記記憶手段に記憶された地域登録情報を更新する第５の地域登録情報更新手段とを備
えていることを特徴としている。
【００２４】
上記放送受信装置（９）によれば、放送チャンネルの切り替えが検出された場合に、前
記記憶手段に記憶された地域登録情報が更新されるので、前記放送チャンネルに応じて前
記地域登録情報が異なる場合でも、前記地域登録情報をユーザ操作によらずに自動的に再
設定することができ、放送チャンネルを切り替える度に、最新の地域登録情報に基づいて
データ放送を提示させることが可能となる。
【００２５】
また本発明に係る放送受信装置（１０）は、現在位置情報を取得する現在位置情報取得
手段と、取得した現在位置情報をデータ放送に必要な地域登録情報に変換する第１の地域
登録情報変換手段と、該第１の地域登録情報変換手段により変換された地域登録情報を記
憶手段に記憶する地域登録情報記憶手段と、受信中の放送チャンネルのネットワークの変
化が検出された場合に、前記記憶手段に記憶された地域登録情報を更新する第６の地域登
録情報更新手段とを備えていることを特徴としている。
【００２６】
上記放送受信装置（１０）によれば、受信中の放送チャンネルのネットワークの変化が
検出された場合に、前記記憶手段に記憶された地域登録情報が更新されるので、例えば、
１つの放送チャンネルが複数のネットワークで構成されている場合において、これらネッ
トワークの変化に応じて前記地域登録情報を更新することができ、きめ細かなデータ放送
の提示を行うことが可能となる。
【００２７】
また本発明に係る放送受信装置（１１）は、ナビゲーション装置に接続され、該ナビゲ
ーション装置から所定地点の位置情報を取得する位置情報取得手段と、取得した所定地点
の位置情報をデータ放送に必要な地域登録情報に変換する第２の地域登録情報変換手段と
、該第２の地域登録情報変換手段により変換された地域登録情報を記憶手段に記憶する地
域登録情報記憶手段と、受信データの中から前記地域登録情報に該当するデータ放送のデ
ータを抽出する抽出手段と、抽出された前記地域登録情報に該当するデータ放送のデータ
を提示する提示手段とを備えていることを特徴としている。
【００２８】
上記放送受信装置（１１）によれば、前記ナビゲーション装置から取得した所定地点の
位置情報、例えば、前記ナビゲーション装置で設定されたユーザの自宅、目的地、又は該
目的地までの経由地点などの位置情報が、それぞれ対応する地域登録情報に変換されて前
記記憶手段に記憶されるので、受信データの中からこれら各地域登録情報に該当するデー
タ放送のデータを抽出して提示させることができる。したがって、経路案内等のためにナ
ビゲーション装置を使用している場合に、所定地点の地域登録情報に該当するデータ放送
のデータを抽出して提示させることができ、ユーザに種々の情報を提供することが可能に
なる。
【００２９】
また本発明に係る放送受信装置（１２）は、上記放送受信装置（１１）において、前記
抽出手段により抽出された前記地域登録情報に該当するデータ放送のデータを記憶する放
送データ記憶手段を備えていることを特徴としている。
【００３０】
上記放送受信装置（１２）によれば、前記抽出手段により抽出された前記地域登録情報
に該当するデータ放送のデータが記憶されるので、記憶されたデータ放送を後で提示させ
て、その内容を確認することができる。また、車両用として用いた場合には、停車時等の
安全な状態で所定地点に関連するデータ放送の内容を確認することができ、安全性を高め
ることができる。
【００３１】
また本発明に係る放送受信装置（１３）は、上記放送受信装置（１）〜（１２）のいず
れかにおいて、前記地域登録情報記憶手段が、変換された地域登録情報を一旦揮発性メモ
リに記憶した後、所定の条件が成立した場合に、前記揮発性メモリに記憶された地域登録
情報を不揮発性メモリに記憶するものであることを特徴としている。
【００３２】
上記放送受信装置（１３）によれば、前記変換された地域登録情報が一旦揮発性メモリ
に記憶された後、所定の条件が成立した場合、例えば、電源オフ時や希望のタイミングで
、前記揮発性メモリに記憶された地域登録情報が不揮発性メモリに記憶されるので、前記
不揮発性メモリへの前記地域登録情報の書き込み回数（記憶回数）を大幅に減らすことが
でき、書き込み回数に限度のある前記不揮発性メモリの劣化を遅らせることができる。
【発明を実施するための最良の形態】
【００３３】
以下、本発明に係る放送受信装置の実施の形態を図面に基づいて説明する。図１は、実
施の形態（１）に係る放送受信装置の要部を概略的に示したブロック図である。なお、本
実施の形態では、放送受信装置を車載用として適用した場合について説明する。
【００３４】
放送受信装置１０は、チューナ１１、復調部１２、ＴＳ（Transport Stream) デコ−ド
部１３、音声デコ−ド部１４、映像デコ−ド部１５、提示処理部１６、ＣＰＵ１７、ＲＯ
Ｍ１８、ＲＡＭ１９、不揮発性メモリ２０、通信部２１、インターフェース（Ｉ／Ｏ）２
２、ＧＰＳ受信機２３を含んで構成されており、地上波ディジタル放送を受信することが
できるようになっている。
【００３５】
チュ−ナ１１はアンテナ１１ａで受信した受信電波からユ−ザの希望する放送波をチュ
−ニングして増幅するもので、高周波増幅回路、同調回路等を含んで構成されている。復
調部１２は、チュ−ナ１１によりチュ−ニングされた受信波を復調してディジタル信号を
出力するもので、例えば、地上波ディジタルテレビ放送ではＯＦＤＭ（Orthogonal Frequ
ency Division Multiplexing）変調された放送波をＯＦＤＭ復調するＯＦＤＭ復調回路等
を含んで構成されている。
【００３６】
ＴＳ（Transport Stream) デコ−ド部１３は、ＯＦＤＭ復調されたディジタル信号をデ
コ−ド（解読）するもの、つまり、放送局での変調前に伝送エラ−防止処理、圧縮処理、
結合処理等が施されたディジタル信号を元のディジタル信号に戻すものであり、論理回路
、ディジタルシグナルプロセッサ等により構成されている。そして、ＴＳデコ−ド部１３
によりデコ−ドされたディジタル信号は、音声デ−タ、映像デ−タ、デ−タ放送のマルチ
メディアデ−タとして各々音声デコ−ド部１４、映像デコ−ド部１５、ＣＰＵ１７に出力
される。
【００３７】
音声デコ−ド部１４はＴＳデコ−ド部１３からの音声デ−タのデコ−ドを行うもの、つ
まり音声デ−タに施された伝送エラ−防止処理、圧縮処理等に対応したデ−タエラ−の復
元処理、伸張処理等のディジタル演算処理を行い、本来の音声デ−タに復元するものであ
り、音声デコ−ド部１４から出力された音声信号は、ディジタル／アナログ変換、電力増
幅が行なわれ、スピ−カ３１から音声として出力されるようになっている。
【００３８】
映像デコ−ド部１５はＴＳデコ−ド部１３からの映像デ−タのデコ−ドを行うもの、つ
まり映像デ−タに施された伝送エラ−防止処理、圧縮処理等に対応したデ−タエラ−の復
元処理、伸張処理等のディジタル演算処理を行い、本来の映像デ−タに復元するものであ
る。
【００３９】
提示処理部１６は、映像デコ−ド部１５から出力された映像信号から画像データを生成
したり、ＣＰＵ１７から出力されたデ−タ放送のデ−タ信号、及びＣＰＵ１７から供給さ
れる描画処理命令などに基づいて、文字デ−タの描画処理、及び文字図形や静止画等の他
の画像デ−タとの合成処理等を行って画像データを生成し、提示処理部１６に内蔵されて
いるＶＲＡＭ（図示せず）に書き込み、このＶＲＡＭに書き込まれた画像デ−タを液晶表
示装置等から構成されるディスプレイ３２に出力するもので、描画プロセッサ等により構
成されている。
【００４０】
ＲＯＭ１８には、ＣＰＵ１７、提示処理部１６で実行される各種の処理プログラム、表
示用の文字データ、データ放送の表示ツール（ブラウザなど）、ＧＰＳ受信機２３から取
得した現在位置情報（経緯度データ）を視聴者居住地域情報（以下、地域登録情報と記す
）に変換するための変換テーブルなどが格納されている。
【００４１】
地域登録情報は、都道府県コードや郵便番号などの地域を特定するための情報から構成
されており、都道府県コードや郵便番号は、データ放送サービスにおいて視聴者の居住地
域（装置の設置地域）に応じた天気予報や選挙速報などのサービスを提供する場合や、双
方向サービスにおいて居住地域の最寄りのアクセスポイントを特定する場合などに用いら
れるものである。
【００４２】
図２は、ＲＯＭ１８に格納されている変換テーブルの一例を示しており、変換テーブル
４０は、都道府県単位などの行政区域ごとに設けられた県域コードと、各県域コードに対
応する地図座標領域データとが対応付けられている。また、変換テーブル４１は、全国の
郵便番号と、各郵便番号に対応する地図座標領域データとが対応付けられている。
【００４３】
ＲＡＭ１９には、各種の制御に使用されるデータ等が一時的に記憶されるようになって
いる。また、不揮発性メモリ２０には、データ放送で使用する地域登録情報や、各放送事
業者がコンテンツで使用する情報（住所氏名、双方向サービスのための情報など）などが
格納されるようになっている。
【００４４】
また、バスラインＢＬには、通信部２１が接続されており、放送受信装置１０は、携帯
電話（図示せず）等を介して外部との通信、例えば放送局との通信、あるいはインタ−ネ
ット上から各種デ−タを得ることができるようになっている。
【００４５】
また、バスラインＢＬにはインタ−フェイス（Ｉ／Ｏ）２２が接続され、外部機器との
接続が可能となっている。例えば、ディスプレイ３２上に設けれられたタッチパネル３３
やリモコン３４からの入力信号を取り込んで、該入力信号に応じた処理がＣＰＵ１７で行
われるようになっており、ユ−ザはタッチパネル３３やリモコン３４を操作することによ
り放送受信装置１０に所望の動作を行わせることが可能となっている。さらに、バスライ
ンＢＬには衛星からのＧＰＳ信号を受信するためのＧＰＳ受信機２３が接続されており、
所定のタイミングで現在位置が検出されるようになっている。
【００４６】
ＣＰＵ１７は、放送受信装置１０の各部の動作を制御するものであり、また、ＴＳデコ
−ド部１３からのデ−タ放送のマルチメディアデ−タ（文字、図形、静止画、映像、音声
などのモノメディアが組み合わされた情報）のデコ−ドも行う、つまりデ−タ放送のデ−
タに施された伝送エラ−防止処理、圧縮処理等に対応したデ−タエラ−の復元処理、伸張
処理等のディジタル演算処理を行い、本来のデ−タ放送用デ−タが復元されるようになっ
ている。復元されたデ−タ放送用デ−タは、ＲＯＭ１８から読み出された表示ツール（ブ
ラウザなど）により提示処理部１６で処理されディスプレイ３２に表示されるようになっ
ている。  
【００４７】
さらにＣＰＵ１７では、ＧＰＳ受信機２３で検出された現在位置情報を取得し、ＲＯＭ
１８から読み出した変換テーブルを用いて、取得した現在位置情報をデータ放送に必要な
地域登録情報に変換する処理や、移動に伴う地域登録情報の変化を検出する処理や、地域
登録情報の変化が検出され、かつデータ放送が提示中である場合に、不揮発性メモリ２０
に記憶されている地域登録情報を更新記憶する処理も行うようになっている。
【００４８】
次に実施の形態（１）に係る放送受信装置１０におけるＣＰＵ１７の行う地域登録情報
の更新処理動作を図３に示したフローチャートに基づいて説明する。なお本処理動作は、
所定のタイミングで繰り返し実行される。
【００４９】
まず、ステップＳ１では、ＧＰＳ受信機２３から現在位置情報（現在位置の経緯度デー
タ）を取得する処理を行い、その後ステップＳ２に進む。ステップＳ２では、ＲＯＭ８に
格納されている変換テーブルを読み出し、該変換テーブルを用いて現在位置情報を対応す
る地域登録情報に変換する処理を行い、その後ステップＳ３に進む。
【００５０】
ステップＳ３では、地域登録情報が変化したか否か、すなわち、ステップＳ２で変換さ
れた地域登録情報と不揮発性メモリ２０に記憶されている地域登録情報とが異なっている
か否かを判断し、地域登録情報が変化していないと判断すれば処理を終了する一方、地域
登録情報が変化したと判断すればステップＳ４に進む。ステップＳ４では、データ放送が
提示中であるか否かを判断し、データ放送が提示中ではないと判断すれば処理を終了する
一方、データ放送が提示中であると判断すればステップＳ５に進む。ステップＳ５では、
ステップＳ２で変換された現在位置の地域登録情報を不揮発性メモリ２０に更新記憶する
処理を行い、その後処理を終了する。                                              
【００５１】
上記実施の形態（１）に係る放送受信装置１０によれば、地域登録情報の変化が検出さ
れただけでなく、かつデータ放送が提示中である場合、すなわち、現在位置における正確
な地域登録情報域の必要性が高い場合に地域登録情報を更新することにより、地域登録情
報の更新の必要性が高い、すなわちより適切なタイミングで地域登録情報をユーザ操作に
よらずに自動的に再設定することができる。また、地域登録情報の変化が検出されても、
データ放送が提示中でない場合には、地域登録情報を更新しないことにより、書き込み回
数に制限がある不揮発性メモリ２０への書き込み回数も減らすことができ、不揮発性メモ
リ２０の劣化を遅らせることができる。
【００５２】
なお、上記実施の形態（１）に係る放送受信機１０では、地域登録情報の変化が検出さ
れ、かつデータ放送が提示中である場合に、不揮発性メモリ２０に記憶された地域登録情
報を更新するようになっているが、別の実施の形態では、地域登録情報の変化が検出され
、かつ該検出後、所定時間の経過が検出された後に、地域登録情報を更新するようにした
り、さらに別の実施の形態では、地域登録情報の変化が検出され、かつ該検出後、所定時
間の経過が検出された後に、地域登録情報を更新するようにしてもよい。
【００５３】
これら構成によれば、地域登録情報が確実に変化した状態で、地域登録情報をユーザ操
作によらずに自動的に再設定することができる。また、地域登録情報の変化が検出されて
も、その状態が所定時間継続しなかった場合、あるいは、検出後、所定距離移動できなか
った場合、例えば、地域登録情報が短時間の内に頻繁に変化する場合には、地域登録情報
を更新しないことにより、不揮発性メモリ２０への書き込み回数を減らすことができ、書
き込み回数に制限がある不揮発性メモリ２０の劣化を遅らせることができる。
【００５４】
また、実施の形態（１）に係る放送受信装置１０では、ＧＰＳ受信機２３を内蔵してい
る構成となっているが、特にＧＰＳ受信機２３を設けなくても、ＧＰＳ受信機などの位置
検出手段を備えたナビゲーション装置や携帯電話などの情報端末機器から現在位置情報を
通信により取得できる構成としてもよい。
【００５５】
次に実施の形態（２）に係る放送受信装置について説明する。但し実施の形態（２）に
係る放送受信装置については、ＣＰＵを除いて図１に示した放送受信装置１０と略同様で
あるため、ＣＰＵには異なる符号を付し、その他の構成部品には同一符号を付してその説
明を省略する。
【００５６】
実施の形態（１）に係る放送受信装置１０では、地域登録情報の変化が検出され、かつ
データ放送が提示中である場合に、不揮発性メモリ２０に記憶されている地域登録情報が
更新されるようになっているが、実施の形態（２）に係る放送受信装置１０Ａでは、地域
登録情報の変化が検出され、かつユーザから地域登録情報を更新する承諾が得られた場合
に、不揮発性メモリ２０に記憶されている地域登録情報が更新されるようになっている。
【００５７】
ＣＰＵ１７Ａは、ＧＰＳ受信機２３で検出された現在位置情報を取得し、ＲＯＭ１８か
ら読み出した変換テーブル（図２に示したものと同様のテーブル）を用いて、取得した現
在位置情報をデータ放送に必要な地域登録情報に変換する処理や、移動に伴う地域登録情
報の変化を検出する処理を行う。そして、地域登録情報の変化が検出された場合に、地域
登録情報の変化が検出されたことをディスプレイ３２に表示してユーザに告知する処理を
行う。
【００５８】
例えば、図４に示すような告知・更新承諾画面を表示して、地域登録情報の変化をユー
ザに告知するとともに、「はい」ボタンがタッチパネル３３を介して入力されると、ＣＰ
Ｕ１７Ａは、地域登録情報の変更の承諾が得られたと判断し、不揮発性メモリ２０に記憶
されている地域登録情報を更新記憶する処理を行い、「いいえ」ボタンがタッチパネル３
３を介して入力されると、地域登録情報の変更の承諾が得られていないと判断し、この場
合は、地域登録情報の更新処理を行わないようになっている。
【００５９】
次に実施の形態（２）に係る放送受信装置１０ＡにおけるＣＰＵ１７Ａの行う地域登録
情報の更新処理動作を図５に示したフロ−チャ−トに基づいて説明する。なお、本処理動
作は図３に示したステップＳ４の代わりに、ステップＳ１１、Ｓ１２を挿入したものであ
り、以下相違点のみ説明する。
【００６０】
ステップＳ３において、地域登録情報が変化したと判断すればステップＳ１１に進む。
ステップＳ１１では、図４に示した地域登録情報が変化したことをユーザに告知するため
の告知・更新承諾画面を表示する処理を行い、その後ステップＳ１２に進む。ステップＳ
１２では、地域登録情報を更新する承諾が得られたか否か、すなわち、図４に示した「は
い」ボタンが入力されたか否かを判断し、「いいえ」ボタンが入力されたと判断すれば処
理を終了する一方、「はい」ボタンが入力されたと判断すればステップＳ５に進み、地域
登録情報の更新記憶処理を行い、その後処理を終了する。
【００６１】
上記実施の形態（２）に係る放送受信装置１０Ａによれば、地域登録情報の変化が検出
され、かつ地域登録情報の更新の承諾が得られた場合、地域登録情報をユーザ操作によら
ずに自動的に再設定することができ、ユーザから更新の承諾を得ることにより、ユーザの
意に反して地域登録情報が更新されることを防止することができる。また、地域登録情報
の変化が検出されても、該地域登録情報の更新の承諾が得られない場合、例えば、ユーザ
が現在設定されている地域登録情報に基づいたデータ放送を提示させたい場合には、地域
登録情報を更新しないことができ、ユーザの多様な用途に応えることができる。
【００６２】
次に実施の形態（３）に係る放送受信装置について説明する。但し実施の形態（３）に
係る放送受信装置の構成については、ＣＰＵを除いて図１に示した放送受信装置１０と略
同様であるため、ＣＰＵには異なる符号を付し、その他の構成部品には同一符号を付して
その説明をここでは省略する。
【００６３】
実施の形態（１）に係る放送受信装置１０では、地域登録情報の変化が検出され、かつ
データ放送が提示中である場合に、不揮発性メモリ２０に記憶されている地域登録情報が
更新されるようになっているが、実施の形態（３）に係る放送受信装置１０Ｂでは、地域
登録情報の変化の有無にかかわらず、データ放送の提示開始が検出された場合に、不揮発
性メモリ２０に記憶された地域登録情報が更新されるようになっている。
【００６４】
次に実施の形態（３）に係る放送受信装置１０ＢにおけるＣＰＵ１７Ｂの行う地域登録
情報の更新処理動作を図６に示したフロ−チャ−トに基づいて説明する。なお、本処理動
作は、データ放送の提示が開始された場合に実行される。
【００６５】
まず、ステップＳ２１では、データ放送の提示が開始されたか否か、例えば、リモコン
３４に設けられたデータ放送を提示するためのデータ放送ボタン等が入力されたか否かを
判断し、データ放送ボタン等が入力されていないと判断すればステップＳ２１に戻る一方
、データ放送ボタンが入力されたと判断すればステップＳ２２に進む。
【００６６】
ステップＳ２２では、ＧＰＳ受信機２３から現在位置情報を取得する処理を行い、その
後ステップＳ２３に進む。ステップＳ２３では、ＲＯＭ１８に格納されている変換テーブ
ルを読み出し、変換テーブルを用いて現在位置情報を地域登録情報に変換する処理を行い
、その後ステップＳ２４に進む。ステップＳ２４では、変換された地域登録情報を不揮発
性メモリ２０に更新記憶する処理を行い、その後処理を終了する。
【００６７】
上記実施の形態（３）に係る放送受信装置１０Ｂによれば、データ放送の提示開始が検
出された場合に、不揮発性メモリ２０に記憶された地域登録情報が更新されるので、現在
位置における正確な地域登録情報の必要性が高いデータ放送の提示開始時に、地域登録情
報をユーザ操作によらずに自動的に再設定することができる。また、データ放送の提示頻
度が少ない場合には、不揮発性メモリ２０への地域登録情報の書き込み回数を抑制するこ
とができ、不揮発性メモリ２０の劣化を遅らせることができる。
【００６８】
なお上記実施の形態（３）に係る放送受信装置１０Ｂでは、データ放送の提示が開始さ
れた場合に、地域登録情報が更新されるようになっているが、別の実施の形態では、デー
タ放送のコンテンツが切り替えられた場合（例えば、天気予報から交通情報やニュース情
報などに切り替えられた場合）、あるいは放送チャンネルが切り替えられた場合に、地域
登録情報を更新するようにしてもよい。係る構成によれば、データ放送のコンテンツに応
じて地域登録情報が異なる場合でも、前記コンテンツ毎に対応した地域登録情報をユーザ
操作によらずに自動的に再設定することができる。また放送チャンネルに応じて地域登録
情報が異なる場合でも、地域登録情報をユーザ操作によらずに自動的に再設定することが
でき、放送チャンネルを切り替える度に、最新の地域登録情報に基づいてデータ放送を提
示させることが可能となる。
【００６９】
さらに別の実施の形態では、受信中の放送チャンネルのネットワークの変化が検出され
た場合、例えば、ある放送チャンネルの受信エリアが複数のネットワーク（エリア網）で
構成され、移動によりネットワークが切り替わった場合に不揮発性メモリ２０に記憶され
た地域登録情報を更新するようにしてもよい。なお、ネットワークの変化は、放送チャン
ネルの受信データに含まれるネットワーク識別コードから判断されるようになっている。
係る構成によれば、放送チャンネルのネットワークの変化に対応して、きめ細かなデータ
放送の提示を行うことが可能となる。また、放送チャンネルの受信エリアが切り替わると
きに、ネットワーク識別コードを利用すれば、同一系列の放送チャンネルに自動的に切り
替える処理を行うことも可能となる。
【００７０】
また、さらに別の実施の形態では、車両のＡＣＣ（アクセサリー）電源の切替信号が取
得されるように構成され、ＡＣＣ電源がオフされた場合に、地域登録情報を更新するよう
にしてもよく、係る構成によれば、次にＡＣＣ電源がオンされた場合に、オフ時に更新さ
れた地域登録情報に基づいてデータ放送を提示させることができる。
【００７１】
図７は、実施の形態（４）に係る放送受信装置の要部を概略的に示したブロック図であ
る。但し、図１に示した放送受信装置１０と同一機能を有する構成部品には同一符号を付
し、その説明を省略することとする。
【００７２】
実施の形態（４）に係る放送受信装置１０Ｃは、通信ラインＬ１を介して、目的地への
経路案内を行う機能を備えたナビゲーション装置５０に接続されており、放送受信装置１
０Ｃでは、ナビゲーション装置５０から、自車の現在位置情報の他、設定された目的地や
該目的地までの経由地点などの所定地点の位置情報を通信ラインＬ１を介して取得するこ
とができるようになっている。
【００７３】
ナビゲーション装置５０は、位置検出部５１と、地図データ記憶部５２と、ナビ制御部
５３とを含んで構成されている。位置検出部５１は、自車の現在位置を検出するためのも
のであり、車速から演算して走行距離を取得する車速センサ、進行方向を検出するための
ジャイロセンサ、衛星からのＧＰＳ信号を受信するＧＰＳ受信機などから構成されている
。
【００７４】
地図データ記憶部５２は、電子地図データなどナビゲーション機能に必要な各種データ
が記憶されているものであり、データの書き込みが可能なハードディスク装置や、ＤＶＤ
−ＲＡＭ装置などから構成されている。
【００７５】
ナビ制御部５３は、ナビゲーション機能に関する各種の制御処理を行うものであり、例
えば、目的地設定のメニュー画面などを通じて入力された情報に基づいて目的地を検索す
る処理、検索された目的地までの経路を探索する処理、位置検出部５１から取得した信号
に基づいて自車の現在位置を割り出す処理、割り出した自車の現在位置と地図データ記憶
部５２から読み出した電子地図データとを合わせるマップマッチング処理を行い、ディス
プレイ３２上に自車の現在位置や案内経路情報が示された地図等を表示させる処理、経路
案内などの合成音声を生成して、スピーカ３１から音声として出力させる処理などを行う
ようになっており、ＣＰＵ、ＲＯＭ、ＲＡＭを含むマイクロコンピュータから構成されて
いる。
【００７６】
また、ナビ制御部５３は、割り出した自車の現在位置情報（経緯度データ）や、目的地
が設定された場合に、該目的地の位置情報、該目的地までの経由地点の位置情報（経緯度
データ）を通信ラインＬ１を介して放送受信装置１０Ｃに送信する処理を行うようになっ
ている。例えば、目的地の設定が完了すると、図８に示した「データ放送取得設定」画面
が表示されるようになっており、この画面を通じて、目的地などの案内経路に対応する所
定地点のデータ放送のデータを取得するか否かの設定を行うことができるようになってい
る。そして図８に示した画面で「はい」ボタンが入力されると、図９に示した「データ取
得地点選択」画面が表示されるようになっており、この画面を通じて、どの地点における
データ放送のデータを取得するのかを選択することができるようになっており、この場合
、「自宅」、「目的地」、「経由地点」を選択することができるようになっている。そし
て、「選択完了」ボタンが入力されると、選択された地点の位置情報（経緯度データ）が
放送受信装置１０Ｃに送信されるようになっている。
【００７７】
一方、放送受信装置１０Ｃでは、ナビゲ−ション装置５０からの各地点の位置情報を取
得すると、ＣＰＵ１７Ｃが、これら各地点の位置情報を地域登録情報に変換し、変換した
地域登録情報を一旦ＲＡＭ１９に記憶する。また、ＣＰＵ１７Ｃは、設定された放送チャ
ンネルの受信を開始して、放送チャンネルの受信データの中からＲＡＭ１９に記憶された
各地域登録情報に該当するデータ放送のデータを抽出し、不揮発性メモリ２０のデータ放
送記憶領域に記憶するとともに、ディスプレイ３２に表示する処理を行う。なおディスプ
レイ３２への表示は、例えば、２画面にして一方をナビの地図表示、他方をデータ放送の
内容を表示させたり、またはデータ放送の内容を一定時間ほど全画面表示させたりするよ
うになっている。また、ＣＰＵ１７Ｃでは、目的地への経路案内が終了したことを検知す
ると、ＲＡＭ１９に記憶されていた地域登録情報を不揮発性メモリ２０の地域登録情報記
憶領域に記憶する処理を行うようになっている。
【００７８】
次に実施の形態（４）に係る放送受信装置１０ＣにおけるＣＰＵ１７Ｃと、ナビゲーシ
ョン装置５０におけるナビ制御部５３との行う処理動作を図８に示したフロ−チャ−トに
基づいて説明する。なお、本処理動作は、ナビゲーション装置５０で、経路案内を行う目
的地の設定が完了した場合に実行される。
【００７９】
まず、ナビゲーション装置５０では、ステップＳ３１において、目的地の設定が完了し
たか否かを判断し、目的地の設定が完了していないと判断すればステップＳ３１に戻る一
方、目的地の設定が完了したと判断すればステップＳ３２に進む。
【００８０】
ステップＳ３２では、図８に示した「データ放送取得設定」画面を表示する処理を行い
、その後ステップＳ３３に進み、選択ボタンの判定を行う。「いいえ」ボタンが選択され
たと判断すればステップＳ３７へ進む一方、「はい」ボタンが選択されたと判断すればス
テップＳ３４に進む。ステップＳ３４では、図９に示した「データ取得地点選択」画面を
表示する処理を行い、その後ステップＳ３５に進み、「選択完了」ボタンの入力があった
か否かを判断する。「選択完了」ボタンの入力がないと判断すればステップＳ３５に戻る
一方、選択完了ボタンの入力があったと判断すればステップＳ３６に進む。
【００８１】
ステップＳ３６では、選択されたデータ取得地点の位置情報（経緯度データ）を放送受
信装置１０Ｃに送出する処理を行い、その後ステップＳ３７に進み、目的地への経路案内
処理を開始する。
【００８２】
一方、放送受信装置１０Ｃでは、ステップＳ３８において、ナビゲーション装置５０か
らデータ取得地点の位置情報を受信したか否かを判断し、データ取得地点の位置情報を受
信していないと判断すればステップＳ３８に戻る一方、受信したと判断すればステップＳ
３９に進む。
【００８３】
ステップＳ３９では、ＲＯＭ１８に格納されている変換テーブルを読み出し、該変換テ
ーブルを用いてデータ取得地点位置情報を地域登録情報に変換する処理を行い、その後ス
テップＳ４０に進む。ステップＳ４０では、変換された地域登録情報を一旦ＲＡＭ１９に
記憶する処理を行い、その後ステップＳ４１進む。
【００８４】
ステップＳ４１では、受信する放送チャンネルをユーザに選択させるための受信チャン
ネル設定画面を表示する処理を行い、その後ステップＳ４２に進み、受信チャンネルが設
定されたか否かを判断し、受信チャンネルが設定されていないと判断すればステップＳ４
２に戻る一方、受信チャンネルが設定されたと判断すればステップＳ４３に進む。
【００８５】
ステップＳ４３では、目的地、又は経由地点の地域登録情報に対応するデータ放送を受
信したか否かを判断し、受信していないと判断すればステップＳ４７に進む一方、受信し
たと判断すればステップＳ４４に進む。ステップＳ４４では、受信データの中から地域登
録情報に該当するデータ放送のデータを抽出する処理を行い、その後ステップＳ４５に進
み、抽出したデータ放送のデータを不揮発性メモリ２０に記憶する処理を行い、その後ス
テップＳ４６に進み、抽出したデータ放送のデータをディスプレイ３２に表示する処理を
行い、その後ステップＳ４７に進む。
【００８６】
ステップＳ４７では、ナビゲーション装置５０からの目的地への案内終了信号を受信し
たか否かを判断し、該案内終了信号を受信していないと判断すればステップＳ４３に戻り
処理を繰り返す一方、前記案内終了信号を受信したと判断すればステップＳ４８に進む。
ステップＳ４８では、ＲＡＭ１９に記憶された地域登録情報を不揮発性メモリ２０に記憶
する処理を行い、その後処理を終了する。
【００８７】
上記実施の形態（４）に係る放送受信装置１０Ｃによれば、ナビゲーション装置５０か
ら取得した所定地点の位置情報、例えば、ユーザの自宅、目的地、又は該目的地までの経
由地点などの位置情報が、それぞれ対応する地域登録情報に変換されて記憶されるので、
受信したデータの中からこれら各地域登録情報に該当するデータ放送のデータを抽出して
提示させることができる。したがって、経路案内等のためにナビゲーション装置５０を使
用している場合に、所定地点の地域登録情報に該当するデータ放送のデータを抽出して提
示させることができ、ユーザに種々の情報を提供することが可能になる。
【００８８】
また、受信データから抽出された地域登録情報に該当するデータ放送のデータが記憶さ
れるので、記憶されたデータ放送を後で提示させて、その内容を確認することができる。
特に車両用として用いた場合には、停車時等の安全な状態で所定地点に関連するデータ放
送の内容を確認することができ、安全性を高めることができる。
【００８９】
また、位置情報から変換された地域登録情報が一旦ＲＡＭ１９に記憶された後、目的地
への案内終了時にＲＡＭ１９に記憶された地域登録情報が不揮発性メモリ２０に記憶され
るので、不揮発性メモリ２０への地域登録情報の書き込み回数（記憶回数）を大幅に減ら
すことができ、書き込み回数に限度のある不揮発性メモリ２０の劣化を遅らせることがで
きる。なお、目的地への案内終了時に代えて、ＡＣＣ電源のオフ時やナビゲーション装置
５０の主電源スイッチのオフ時にＲＡＭ１９に記憶された地域登録情報を不揮発性メモリ
２０に記憶するようにしてもよい。また、上記実施の形態（１）〜（３）に係る放送受信
装置においても、現在位置情報から変換された地域登録情報を一旦ＲＡＭ１９に記憶した
後、ＡＣＣ電源のオフ時や所定のタイミングで不揮発性メモリ２０に記憶するようにして
もよい。
【図面の簡単な説明】
【００９０】
【図１】本発明の実施の形態（１）に係る放送受信装置の要部を概略的に示したブロック図である。
【図２】ＲＯＭに記憶されている変換テーブルの一例を示す図である。
【図３】実施の形態（１）に係る放送受信装置におけるＣＰＵの行う地域登録情報の更新処理動作を示したフローチャートである。
【図４】実施の形態（２）に係る放送受信装置におけるＣＰＵの行う地域登録情報の更新処理動作を示したフローチャートである。
【図５】ディスプレイに表示される告知・承諾画面の表示例を示す図である。
【図６】実施の形態（３）に係る放送受信装置におけるＣＰＵの行う地域登録情報の更新処理動作を示したフローチャートである。
【図７】実施の形態（４）に係る放送受信システムの要部を概略的に示したブロック図である。
【図８】ディスプレイに表示されるデータ放送取得設定画面の表示例を示す図である。
【図９】ディスプレイに表示されるデータ取得地点選択画面の表示例を示す図である。
【図１０】実施の形態（４）に係る放送受信装置とナビゲーション装置との行う処理動作を示したフローチャートである。
【符号の説明】
【００９１】
１０、１０Ａ、１０Ｂ、１０Ｃ  放送受信装置
１７、１７Ａ、１７Ｂ、１７Ｃ  ＣＰＵ
１８  ＲＯＭ
１９  ＲＡＭ
２０  不揮発性メモリ
【図１】
2005191998.tif 000003
【図２】
2005191998.tif 000004
【図３】
2005191998.tif 000005
【図４】
2005191998.tif 000006
【図５】
2005191998.tif 000007
【図６】
2005191998.tif 000008
【図７】
2005191998.tif 000009
【図８】
2005191998.tif 000010
【図９】
2005191998.tif 000011
【図１０】
2005191998.tif 000012